(57)【要約】【課題】年少者にあっても、名札などの表示体を衣服に簡単且つ安全に着脱ができる構造の提供を図る。【解決手段】衣服３１に、安全ピン１２を備えた名札などの表示体１１を取り付ける構造において、帯状体２１の基端が衣服本体のポケット３２の内部に固定される。帯状体３２の先端は、上記の安全ピン１２を環状に閉じた状態で安全ピンの環状空間に挿通され、挿通された先端が折り返されて帯状体２１に着脱可能に止着される。これにより、帯状体２１によるループが形成され、このループによって環状に閉じた安全ピン１２が支持される。【選択図】          図２
0003149606.tif 000002
【実用新案登録請求の範囲】
【請求項１】
安全ピンを備えた名札などの表示体を、衣服に取り付ける構造において、
帯状体の基端が衣服本体のポケットに固定され、
帯状体の先端が、上記の安全ピンを環状に閉じた状態で安全ピンの環状空間に挿通され、
挿通された先端が折り返されて帯状体に着脱可能に止着されることにより、帯状体によるループが形成され、このループによって環状に閉じた安全ピンが支持されたことを特徴とする表示体の衣服への取付構造。
【請求項２】
前記の帯状体の少なくとも基端側と先端側に起毛面ファスナが設けられ、この起毛面ファスナによって前記の先端の止着がなされることを特徴とする請求項１記載の表示体の衣服への取付構造。
【請求項３】
上記のポケットが、ポケット上部に縫着されポケットの上端縁を構成する上端縁生地を備え、この上端縁生地とポケット本体のポケット内部との縫着箇所に上記の帯状体の基端が縫着されていることを特徴とする請求項２記載の表示体の衣服への取付構造。
【請求項４】
上記の帯状体が、基端側と先端側との間に折り目線が形成されたものであり、
上記の帯状体が基端の前記の逢着箇所から上記の折り目線に向けて上方に向けて伸ばされ、上記の折り目線から帯状体の先端に向けて下方に向けて伸ばされたものである逆Ｕ字状をなし、
この帯状体は、上記の表示体を取り付けていない状態で上記の逆Ｕ字状を維持する剛性を備えると共に、指で曲げることができる柔軟性を有することを特徴とする請求項３記載の表示体の衣服への取付構造。
【考案の詳細な説明】
【技術分野】
【０００１】
本願考案は、表示体の衣服への取付構造、特に学校や幼稚園などの制服に名札を表示するのに適した取付構造に関するものである。
【背景技術】
【０００２】
従来より、安全ピンを有する名札を、衣服に取り付ける構造として、特許文献１や２に示すものが知られている。このものは、ポケットに布テープでループを作り、安全ピン（一端側に針先部を備えるとともに他端側に基部を備えたピン本体と、このピン本体の基部に設けられたピン受とを備え、前記針先部と基部とが弾性によって開くことができると共に、弾性に抗して針先部をピン受けに係止することによって環状に閉じるピン）を、開いてループに針先部を通した後、安全ピンを閉じるようにしたものである。そのため、名札の着脱の度に、安全ピンを開閉する必要があり、手間がかかり、また指を針先で突き刺すなどの危険性が指摘されている。特に、今日にあっては、通学通園の安全性の観点から、通学通園時には名札を外して、校内などでは名札をつけることがおこなわれる場合が多いため、年少者にあっても、簡単に且つ安全に名札の着脱ができる構造の開発が望まれている。
【０００３】
【特許文献１】実開昭５５−１５１８２４号公報
【特許文献２】登録実用新案第３０５９９１１号公報
【考案の開示】
【考案が解決しようとする課題】
【０００４】
本願考案の目的は、年少者にあっても、名札などの表示体を衣服に簡単且つ安全に着脱ができる構造の提供を図ることにある。
【課題を解決するための手段】
【０００５】
本願の請求項１に係る考案は、安全ピンを備えた名札などの表示体を、衣服に取り付ける構造において、帯状体の基端が衣服本体のポケットに固定され、帯状体の先端が、上記の安全ピンを環状に閉じた状態で安全ピンの環状空間に挿通され、挿通された先端が折り返されて帯状体に着脱可能に止着されることにより、帯状体によるループが形成され、このループによって環状に閉じた安全ピンが支持されたことを特徴とする表示体の衣服への取付構造を提供する。
本願の請求項２に係る考案は、前記の帯状体の少なくとも基端側と先端側に起毛面ファスナが設けられ、この起毛面ファスナによって前記の先端の止着がなされることを特徴とする請求項１記載の表示体の衣服への取付構造を提供する。
本願の請求項３に係る考案は、上記のポケットが、ポケット上部に縫着されポケットの上端縁を構成する上端縁生地を備え、この上端縁生地とポケット本体のポケット内部との縫着箇所に上記の帯状体の基端が縫着されていることを特徴とする請求項２記載の表示体の衣服への取付構造を提供する。
本願の請求項４に係る考案は、上記の帯状体が、基端側と先端側との間に折り目線が形成されたものであり、上記の帯状体が基端の前記の逢着箇所から上記の折り目線に向けて上方に向けて伸ばされ、上記の折り目線から帯状体の先端に向けて下方に向けて伸ばされたものである逆Ｕ字状をなし、この帯状体は、上記の表示体を取り付けていない状態で上記の逆Ｕ字状を維持する剛性を備えると共に、指で曲げることができる柔軟性を有することを特徴とする請求項３記載の表示体の衣服への取付構造を提供する。
【考案の効果】
【０００６】
本願考案は、帯状体の先端を、上記の安全ピンを環状に閉じた状態で表示体の安全ピンの環状空間に挿通し、挿通した先端を折り返して帯状体に着脱可能に止着するため、環状に閉じた状態のまま安全ピンの着脱が可能であり、表示体を衣服に簡単且つ安全に着脱ができる構造を提供することができたものである。
請求項２に係る考案にあっては、起毛面ファスナによる止着を行うため、ワンタッチで極めて簡単に着脱できるものである。
請求項３に係る考案にあっては、上端縁生地とポケット本体との縫着に際して、帯状体を共に縫着するため、帯状体の取り付けのための別個の縫着工程を必要とせず、能率的な生産が可能である。
請求項４に係る考案にあっては、ポケットから帯状体を探してわざわざ引っ張りだすという手間をかけずとも、簡単に帯状体を安全ピンに通すことができる。
【考案を実施するための最良の形態】
【０００７】
以下、図面に基づき本願考案の実施の形態を説明する。
図１は名札を取り付ける前の衣服の要部正面図であり、図２は名札を取り付ける過程を示す衣服の要部正面図であり、図３は名札の取付完了時の衣服の要部正面図であり、図４は同断面図である。
【０００８】
この名札などの表示体１１の衣服への取付構造にあっては、帯状体２１の基端２４が衣服本体３１のポケット３２内部に固定されている。
【０００９】
帯状体２１は全体が起毛面ファスナのテープから構成されており、帯状体２１の表面側は布地２２とされ、裏面側はループとこれに係合する突起とが多数形成された起毛部２３となっている。起毛部２３は、雌雄が別々となったものを用いることも可能であるが、雌雄両用のものを用いた場合には一枚の帯状体を区別なく使用できる点で有利である。この帯状体２１は、先端２５と基端２４との略中間に形成された折り目線２６で二つ折りにされている。
【００１０】
ポケット３２は、袋状をなした袋生地３３と、この袋生地３３の上部に縫着されポケットの上端縁を構成する上端縁生地３４を備える。この上端縁生地３４とポケット本体の袋生地３３との縫着箇所３５に上記の帯状体２１の基端２４が縫着されている。
【００１１】
上記の帯状体２１は、基端２４の前記逢着箇所から上方に向けて伸ばされ、折り目線２６から先端２５に向けて下方に伸ばされたもので、側面視、逆Ｕ字状をなしている。この帯状体２１は、次に説明する表示体１１を取り付けていない状態（図１および図４（Ａ）の状態）で、逆Ｕ字状を維持する剛性を備えるが、指で簡単に曲げることができる程度の柔軟性を有する。
【００１２】
表示体１１は、従来より知られている種々のものを用いることができるが、図の例では、名札として名前を記載して表示する表示体１１であり、その上部に安全ピン１２が取り付けられている。安全ピン１２は、一端側に針先部１３を備えるとともに他端側に基部１４を備えたピン本体と、基部１４に設けられたピン受１５とを備え、針先部１３と基部１４とが弾性によって開くことができると共に、弾性に抗して針先部１３をピン受１５に係止するものである。
【００１３】
この表示体１１を衣服に取り付けるには、帯状体２１の先端２５を上方に伸ばす（図２、図４（Ｂ））。そして閉じた状態の安全ピン１２の針先部１３と基部１４との間の環状空間１６に帯状体２１の先端２５を通して、同先端２５を基端２４付近に止める。これにより、帯状体２１によるループが形成され、このループによって安全ピン１２が支持される。帯状体２１は表示体１１の重みによって湾曲して、表示体１１をポケット正面に吊り下げて支持する。他方、表示体１１を取り外すには、逆の手順をとればよく、取付、取外に際して、安全ピン１２を開く必要がない。
【００１４】
本考案はこの実施の形態に限定されるものではなく、例えば、図５（Ａ）に示すように、帯状体２１全体を布テープにて構成し、先端側と基端側の係止部分だけを、起毛面ファスナ２７によって構成してもよい。図５（Ｂ）に示すように、先端側と基端側の係止部分をホック２８によって構成してもよい。図５（Ｃ）に示すように、帯状体２１を下方向けて取り付けてもよい。さらに図示は省略するが、帯状体２１の基端をポケットの底部など、上端縁以外の箇所に取り付けてもよく、ポケットの外側に固定してもよい。ポケットは、図示のような切り込み型のポケットでもよく、貼り付け型のポケットでもよい。
【図面の簡単な説明】
【００１５】
【図１】名札を取り付ける前の衣服の要部正面図である。
【図２】名札を取り付ける過程を示す衣服の要部正面図である。
【図３】名札の取付完了時の衣服の要部正面図である。
【図４】（Ａ）は名札を取り付ける前の衣服の要部断面図であり、（Ｂ）は名札を取り付ける過程を示す衣服の要部断面図であり、（Ｃ）名札の取付完了時の衣服の要部断面図である。
【図５】（Ａ）（Ｂ）（Ｃ）はそれぞれ他の実施の形態を示す説明図である。
【符号の説明】
【００１６】
１１  表示体
１２  安全ピン
２１  帯状体
３１  衣服本体
３２  ポケット
【図１】
0003149606.tif 000003
【図２】
0003149606.tif 000004
【図３】
0003149606.tif 000005
【図４】
0003149606.tif 000006
【図５】
0003149606.tif 000007